(57)【要約】【課題】誤飲防止用の筒状構造の薬剤ＰＴＰ包装体として、未使用時には嵩張らない平坦形態であって、使用時には筒状形態として筒形を安定に保ちつつ簡単に破封して容易に薬剤の取り出しを行えるものを提供する。【解決手段】シート基材１の表面側へ膨出する複数のポケット部１０に各々固形薬剤Ｍが収容され、これらポケット部１０が該シート基材１の背面側に貼着した可破断性の蓋フィルム２によって封止され、全体が蓋フィルム２を内面側とする筒状構造をなすＰＴＰ包装体Ｐ１であって、未使用状態において筒状構造の筒形がひしげた平坦形態に癖付けられると共に、筒形保持手段３を備え、使用時に平坦形態から内側を拡開して筒状形態とし、筒形保持手段３によって該筒状形態を保つように構成されてなる。【選択図】図１
2014094757.tif 000002
【特許請求の範囲】
【請求項１】
シート基材の表面側へ膨出する複数のポケット部に各々固形薬剤が収容され、これらポケット部が該シート基材の背面側に貼着した可破断性の蓋フィルムによって封止され、全体が蓋フィルムを内面側とする筒状構造をなすプレススルーパック包装体であって、
未使用状態において前記筒状構造の筒形がひしげた平坦形態に癖付けられると共に、筒形保持手段を備え、
使用時に前記平坦形態から内側を拡開して筒状形態とし、前記筒形保持手段によって該筒状形態を保つように構成されてなる薬剤プレススルーパック包装体。
【請求項２】
前記筒形保持手段は、前記筒状形態の筒内に、板面が前記平坦形態の平坦方向に対して直交する形で差し込む帯板材からなり、該帯板材の一端側に筒状形態の開口縁部に掛止させる掛止部が形成されてなる請求項１に記載の薬剤プレススルーパック包装体。
【請求項３】
前記筒状構造が四角筒であり、前記筒形保持手段が該四角筒の一側面に切り込み形成された折り付け片からなり、前記平坦形態から内側を拡開して筒状形態とした際に、該折り付け片を四角筒の対角線方向へ内向きに折り付けることにより、筒形を保持するように構成されてなる請求項１に記載の薬剤プレススルーパック包装体。
【請求項４】
前記筒状構造が四角筒であり、前記筒形保持手段が該四角筒の一端側の一側辺より延出する差込み片付きの蓋状フラップからなり、前記平坦形態から内側を拡開して筒状形態とした際に、その一端側開口部に該蓋状フラップを被せて差込み片を内側へ入り込ませることにより、筒形を保持するように構成されてなる請求項１に記載の薬剤プレススルーパック包装体。
【発明の詳細な説明】
【技術分野】
【０００１】
本発明は、シート基材のポケット部に固形薬剤を収容したプレススルーパック包装体（以下、ＰＴＰ包装体と略称する）、特に全体が筒状構造をなすＰＴＰ包装体に関する。
【背景技術】
【０００２】
一般に、薬剤のＰＴＰ包装体は、ポリ塩化ビニル、ポリプロピレン、ポリエチレンテレフタレート等の熱可塑性樹脂からなる矩形の透明なシート基材に設けた多数のポケット部に、丸形錠剤やカプセル剤等の固形薬剤を一個ずつ収容すると共に、該シート基材の背面側にアルミ箔等からなる可破断性の蓋フィルムを貼着して封止したものであり、表面側に膨出したポケット部を指先で押し潰すことにより、該ポケット部内の固形薬剤が蓋フィルムを突き破って放出されるようになっている。
【０００３】
ところで、初期の薬剤ＰＴＰ包装体は、シート基材に設けた縦横の分割線で手折りして１ポケット単位（薬剤１粒単位）に分離できるものであったが、その分離したＰＴＰ包装体を破封せずに丸ごと服用してしまい、シート基材の角で食道等の消化管を傷つけて出血したり、その傷から重篤な合併症を引き起こしたりする事故が多発していた。このため、近年の薬剤ＰＴＰ包装体は、サイズ的に誤飲しにくいように、横分割線のみで２又は３ポケット単位にしか分離できない形にしている。しかるに、このようにＰＴＰ包装体の分離単位が大きくなっても、特に高齢者の場合に分離したＰＴＰ包装体ごと服用することがあり、また１回分ずつの飲み薬に仕分けるために分離したＰＴＰ包装体を更に鋏等で１ポケット単位に切り離し、それを迂闊に飲み込んでしまう事例も少なくなかった。
【０００４】
そこで、本発明者等は先に、誤飲防止用として、例えば図７に示すようなシート形態のＰＴＰ包装体Ｐ０から、図示破線で示す折曲げ線ｆで山折りにしてシート基材１の両側縁部１ａ，１ｂを止着することにより、図８に示すように全体が蓋フィルム２を内面側とする筒状形態としたＰＴＰ包装体Ｐ５を提案している（特許文献１〜３）。このような筒状形態の薬剤ＰＴＰ包装体Ｐ５では、１〜３ポケット単位に分離できず、固形薬剤Ｍを取り出すには図示のように各ポケット部１０を指で押し潰して破封するしかないから、服用者が破封せずに包装体ごと飲み込む懸念はない。そして、この場合、蓋フィルム２の破封によって薬剤Ｍが筒内に放出されるから、筒状形態の一端側開口部を下向きにして破封し、落下する薬剤Ｍを空いた掌で容易に受け取ることができ、もって該薬剤Ｍの散逸を防止できるという利点があり、また例えば図９に示すように広口の浅い容器Ｒで受けるようにすれば、該薬剤Ｍの散逸をより確実に防止できることに加え、ＰＴＰ包装体Ｐ５に収容した複数種の薬剤Ｍを同時に服用する場合に順次同様にして同じ容器Ｒに受け取り、これら薬剤Ｍを一括して服用できるので便利である。なお、この筒状形態としては、四角筒に限らず、三角筒や五角筒以上の多角筒、円筒、楕円筒等も含まれる。
【先行技術文献】
【特許文献】
【０００５】
【特許文献１】特許第４５３８５３０号公報
【特許文献２】特許第４５３８５３１号公報
【特許文献３】特許第４６９６１７５号公報
【発明の概要】
【発明が解決しようとする課題】
【０００６】
しかしながら、前記提案の薬剤ＰＴＰ包装体Ｐ５では、筒状形態で嵩張るため、輸送や保管にスペースをとり、また市販薬のように紙箱等のケースに収容して製品化する場合、例えば図１０で示すようにケースＣに筒単位で数本程度しか入らず、薬剤収容量の制約が大きい上、蓋フィルムを破封してポケット部から薬剤を取り出す際に筒形が変形して破封操作しにくいという難点があった。
【０００７】
本発明者らは、上述の事情に鑑みて、誤飲防止用の筒状構造の薬剤ＰＴＰ包装体として、未使用時には嵩張らない平坦形態であって、しかも使用時には筒状形態として、その筒形を安定に保ちつつ簡単に破封して容易に薬剤の取り出しを行えるものを提供することを目的としている。
【課題を解決するための手段】
【０００８】
上記目的を達成するための手段を図面の参照符号を付して示せば、請求項１の発明は、シート基材１の表面側へ膨出する複数のポケット部１０に各々固形薬剤Ｍが収容され、これらポケット部１０が該シート基材１の背面側に貼着した可破断性の蓋フィルム２によって封止され、全体が蓋フィルム２を内面側とする筒状構造をなすＰＴＰ包装体Ｐ１〜Ｐ４であって、未使用状態において筒状構造の筒形がひしげた平坦形態に癖付けられると共に、筒形保持手段を備え、使用時に平坦形態から内側を拡開して筒状形態とし、筒形保持手段（帯板材３、折り付け片４、蓋状フラップ５）によって該筒状形態を保つように構成されてなる。
【０００９】
請求項２の発明は、上記請求項１において、筒形保持手段は、筒状形態の筒内に、板面が平坦形態の平坦方向に対して直交する形で差し込む帯板材３からなり、該帯板材３の一端側に筒状形態の開口縁部に掛止させる掛止部３１が形成されてなる薬剤ＰＴＰ包装体Ｐ１，Ｐ４としている。
【００１０】
請求項３の発明は、上記請求項１において、筒状構造が四角筒であり、筒形保持手段が該四角筒の一側面に切り込み形成された折り付け片４からなり、平坦形態から内側を拡開して筒状形態とした際に、該折り付け片４を四角筒の対角線方向へ内向きに折り付けることにより、筒形を保持するように構成されてなる薬剤ＰＴＰ包装体Ｐ２としている。
【００１１】
請求項４の発明は、上記請求項１において、筒状構造が四角筒であり、筒形保持手段が該四角筒の一端側の一側辺より延出する差込み片５２付きの蓋状フラップ５からなり、平坦形態から内側を拡開して筒状形態とした際に、その一端側開口部に該蓋状フラップ５を被せて差込み片５２を内側へ入り込ませることにより、筒形を保持するように構成されてなる薬剤ＰＴＰ包装体Ｐ３としている。
【発明の効果】
【００１２】
次に、本発明の効果について、図面の参照符号を付して説明する。まず、請求項１の発明に係る薬剤ＰＴＰ包装体Ｐ１〜Ｐ４は、全体がシート基材１のポケット部１０を外面側として蓋フィルム２を内面側とした筒状構造をなすが、未使用状態では筒状構造の筒形がひしげた平坦形態に癖付けられているために嵩張らず、その多数本を重ねる形でスペースを要さずに輸送や保管を行えると共に、薬剤製品として紙箱等のケースＣに数多く収容できる。一方、各ポケット部１０内の薬剤Ｍを取り出して服用する際は、平坦形態から内側を拡開して筒状形態とし、この筒状形態を筒形保持手段（帯板材３、折り付け片４、蓋状フラップ５）によって安定に保てるから、ポケット部１０を指で押し潰す操作により、極めて容易に蓋フィルム２を破封して筒内に薬剤Ｍを放出でき、筒形の薬剤ＰＴＰ包装体としての本来の誤飲防止機能及び散逸防止機能が損なわれない。
【００１３】
請求項２の発明によれば、筒形保持手段が帯板材３からなり、薬剤ＰＴＰ包装体Ｐ１，Ｐ４を平坦形態から内側を拡開して筒状形態とした際に、その筒内に該帯板材３を板面が平坦形態の平坦方向に対して直交する形で差し込み、一端側の掛止部３１を筒形の開口縁部に掛止させることにより、筒状形態を安定に保持できる。
【００１４】
請求項３の発明によれば、四角筒の筒状構造を持つ薬剤ＰＴＰ包装体Ｐ２において、筒形保持手段が該四角筒の一側面に切り込み形成された折り付け片４からなり、平坦形態から内側を拡開して筒状形態とした際に、該折り付け片４を四角筒の対角線方向へ内向きに折り付けることにより、筒状形態を安定に保持できる。
【００１５】
請求項４の発明によれば、四角筒の筒状構造を持つ薬剤ＰＴＰ包装体Ｐ３において、筒形保持手段が該四角筒の一端側の一側辺より延出する差込み片５２付きの蓋状フラップ５からなり、平坦形態から内側を拡開して筒状形態とした際に、その一端側開口部に該蓋状フラップ５を被せて差込み片５２を内側へ入り込ませることにより、筒状形態を安定に保持できる。
【図面の簡単な説明】
【００１６】
【図１】本発明の第一実施形態に係る薬剤ＰＴＰ包装体の平坦形態と帯板材を示す斜視図である。
【図２】同第一実施形態の薬剤ＰＴＰ包装体を筒状形態で保持した状態を示し、（ａ）は要部の斜視図、（ｂ）は平面図である。
【図３】同第二実施形態に係る薬剤ＰＴＰ包装体を示し、（ａ）は平坦形態での斜視図、（ｂ）は筒状形態での横断平面図である。
【図４】同第三実施形態に係る薬剤ＰＴＰ包装体を示し、（ａ）は平坦形態での斜視図、（ｂ）は筒状形態での要部の斜視図である。
【図５】同第四実施形態に係る薬剤ＰＴＰ包装体を示し、（ａ）は平坦形態での側面図、（ｂ）は筒状形態での平面図である。
【図６】本発明に係る薬剤ＰＴＰ包装体を製品化用のケースに納めた状態を示す横断平面図である。
【図７】筒状構造とする前のシート形態の薬剤ＰＴＰ包装体を示す斜視図である。
【図８】筒状構造の薬剤ＰＴＰ包装体における破封操作を示す横断平面図である。
【図９】筒状構造の薬剤ＰＴＰ包装体における受皿による薬剤受取り状況を示す斜視図である。
【図１０】従来筒状構造の薬剤ＰＴＰ包装体を製品化用のケースに納めた状態を示す要部の斜視図である。
【発明を実施するための形態】
【００１７】
以下に、本発明に係る薬剤ＰＴＰ包装体の第一〜第四実施形態について、図面を参照して具体的に説明する。これら実施形態の薬剤ＰＴＰ包装体Ｐ１〜Ｐ４は、何れも筒状構造を持つが、原材として既述の図７に示すようなシート形態の薬剤ＰＴＰ包装体Ｐ０を用い、そのシート基材１の両側縁部１ａ，１ｂを止着することにより、シート基材１のポケット部１０を外面側として蓋フィルム２を内面側とした筒状構造にしたものである。なお、図７〜図１０を含めて、共通部分には同じ符号を附している。
【００１８】
図１で示す第一実施形態の薬剤ＰＴＰ包装体Ｐ１は、各側面に複数（図では４つ）のポケット部１０を有する四角筒の筒状構造をなすが、その四角筒の一方の対角線方向で対向する稜線部１１，１１を折り返し状に、他方の対角線方向で対向する稜線部１２，１２を非曲げ状に、それぞれ癖付けることにより、未使用状態では平坦形態になっている。そして、この薬剤ＰＴＰ包装体Ｐ１には、筒形保持手段としての帯板材３が付属している。
【００１９】
このＰＴＰ包装体Ｐ１の平坦形態における非曲げ状の稜線部１２，１２は、後述する筒状形態にする際に山折りに曲げ易くするために、狭い幅で外側へ畝状に膨出させている。そして、一方の非曲げ状の稜線部１２の一端側には、その稜線方向に沿う切込み溝１３が形成されている。
【００２０】
帯板材３は、板紙又は硬質合成樹脂成形物からなり、略一定幅の帯板部３０の一端側に、側方へ耳片状に張出した掛止部３１が一体形成されると共に、この掛止部３１と帯板部３０との間に、該帯板部３０の側縁から連続する切込み溝３２を有している。
【００２１】
この第一実施形態の薬剤ＰＴＰ包装体Ｐ１では、各ポケット部１０内の薬剤Ｍを取り出して服用する際は、まず図１に示す平坦形態から稜線部１１，１１を接近させるように挟み付けることにより、稜線部１２，１２が山折りに曲がるように内側を拡開して筒状形態とする。そして、図２（ａ）（ｂ）に示すように、筒状形態とした該ＰＴＰ包装体Ｐ１の切込み溝１３を有する一端側から、帯板材３の帯板部３０を板面方向が山折りになった稜線部１２，１２間の対角線方向に沿うように挿入し、その掛止部３１を筒外へ出す形で切込み溝３２をＰＴＰ包装体Ｐ１の切込み溝１３に嵌め合わせる。これにより、筒状形態とした該ＰＴＰ包装体Ｐ１は、挿入された帯板材３の帯板部３０の両側が該帯板部３０を底辺とする二等辺三角形の断面形状になることから、確固として安定した筒状形態に保たれる。従って、薬剤の取り出しのためにポケット部１０を外側から指で押し潰す際、ＰＴＰ包装体Ｐ１の筒形が変形しないから、蓋フィルム２を容易に破封して簡単に薬剤を取り出すことができる。
【００２２】
なお、帯板材３の掛止部３１は、図示実線のように帯板部３０の左右片側のみに設ける以外に、図示仮想線のように左右両側に設けたものとしてもよい。また、掛止部３１が左右両側にある場合を含めて、該帯板材３側の切込み溝３２とＰＴＰ包装体Ｐ１側の切込み溝１３とは、その一方側を省略しても差し支えない。更に帯板材３の帯板部３０の幅は、筒内空間が狭くなることで薬剤の筒内への放出及び落下を妨害しないように、図２（ｂ）で示すように帯板部３０の両側の断面形状が直角二等辺三角形となる幅を上限、同断面形状が正三角形となる幅を下限とする範囲内で設定することが望ましい。また、このような帯板材３は、不使用時には平坦形態の薬剤ＰＴＰ包装体Ｐ１の内側に差し込んでおけばよい。
【００２３】
図３（ａ）で示す第二実施形態の薬剤ＰＴＰ包装体Ｐ２は、前記第一実施形態の薬剤ＰＴＰ包装体Ｐ１と同様に、各側面に複数（図では一側面のみ３つで、他は４つ）のポケット部１０を有する四角筒の筒状構造をなし、その四角筒の一方の対角線方向で対向する稜線部１１，１１を折り返し状に、他方の対角線方向で対向する稜線部１２，１２を非曲げ状に、それぞれ癖付けることにより、未使用状態で平坦形態になっている。また、この平坦形態における非曲げ状の稜線部１２，１２は、第一実施形態と同様に狭い幅で外側へ畝状に膨出している。
【００２４】
そして、このＰＴＰ包装体Ｐ２の四角筒の一側面には、筒形保持手段としての略正方形の折り付け片４が切り込み形成されている。この折り付け片４は、平坦形態における非曲げ状の稜線部１２を基部として、先端が折り返し状の稜線部１１に達するサイズを有し、全体がポケット部１０のない平板状になっている。
【００２５】
この第二実施形態の薬剤ＰＴＰ包装体Ｐ２において、各ポケット部１０内の薬剤Ｍを取り出して服用する際は、前記第一実施形態と同様に、まず平坦形態から稜線部１１，１１を挟み付けることにより、稜線部１２，１２が山折りになる内側の拡開で筒状形態とする。そして、図３（ｂ）に示すように、筒状形態とした該ＰＴＰ包装体Ｐ２の折り付け片４を内向きに折り付ける。これにより、該ＰＴＰ包装体Ｐ２は、図示の如く全体の断面が略菱形をなし、その短い方の対角線方向に沿う折り付け片４の両側が該折り付け片４を一辺とする略正三角形の断面形状になり、もって確固として安定した筒状形態に保たれる。従って、薬剤の取り出しのためにポケット部１０を外側から指で押し潰す際、ＰＴＰ包装体Ｐ２の筒形が変形せず、蓋フィルム２を容易に破封して簡単に薬剤を取り出すことができる。
【００２６】
図４（ａ）で示す第三実施形態の薬剤ＰＴＰ包装体Ｐ３は、前記第一及び第二実施形態の薬剤ＰＴＰ包装体Ｐ１，Ｐ２と同様に、各側面に複数（図では４つ）のポケット部１０を有する四角筒の筒状構造をなし、その四角筒の一方の対角線方向で対向する稜線部１１，１１を折り返し状に、他方の対角線方向で対向する稜線部１２，１２を非曲げ状に、それぞれ癖付けることにより、未使用状態で平坦形態になっている。また、この平坦形態における非曲げ状の稜線部１２，１２は、第一及び第二実施形態と同様に狭い幅で外側へ畝状に膨出している。
【００２７】
そして、このＰＴＰ包装体Ｐ３の一端側には、四角筒の一側辺より筒形保持手段としての蓋状フラップ５が延設されている。この蓋状フラップ５は、該四角筒の開口部に対応する正方形の基部５１と、その前縁から延出する差込み片５２とで構成されている。
【００２８】
この第三実施形態の薬剤ＰＴＰ包装体Ｐ３において、各ポケット部１０内の薬剤Ｍを取り出して服用する際は、前記第一及び第二実施形態と同様に、まず平坦形態から稜線部１１，１１を挟み付け、稜線部１２，１２が山折りになる内側の拡開で筒状形態とする。そして、図４（ｂ）に示すように、筒状形態とした該ＰＴＰ包装体Ｐ３の一端側の開口部に蓋状フラップ５を被せ、その差込み片５２を内側に差し込むことにより、該ＰＴＰ包装体Ｐ３は、断面正方形の四角筒形態で安定に保たれる。従って、薬剤の取り出しのためにポケット部１０を外側から指で押し潰す際、ＰＴＰ包装体Ｐ３の筒形が変形せず、蓋フィルム２を容易に破封して簡単に薬剤を取り出すことができる。
【００２９】
第四実施形態の薬剤ＰＴＰ包装体Ｐ４は、前記第一〜第三実施形態の薬剤ＰＴＰ包装体Ｐ１〜Ｐ３と同様に筒状構造を有しており、未使用状態では図５（ａ）に示すように平坦形態に癖付けられ、その幅方向両側が稜線部１１として折り返し状をなすが、該平坦形態における両側面に各々左右一対のポケット部１０の複数対が長手方向に所定間隔置きに配置しているだけで、第一〜第三実施形態における稜線部１２に相当する部位はない。そして、該平坦形態における一端側の幅方向中央位置に、第一実施形態と同様の切込み溝１３を備えると共に、筒形保持手段として第一実施形態と同様に帯板材３を付属している。なお，この帯板材３は、図５（ｂ）に示すように、帯板部３０の一端側の左右両側に張出した掛止部３１を有している。
【００３０】
この第四実施形態の薬剤ＰＴＰ包装体Ｐ４において、各ポケット部１０内の薬剤Ｍを取り出して服用する際は、まず平坦形態から稜線部１１，１１を挟み付けて接近させることにより、図５（ｂ）の如く両面部が外側へ湾曲する形で内側を拡開させて略円筒形の筒状形態とする。そして、図５（ｂ）に示すように、この筒状形態とした該ＰＴＰ包装体Ｐ４の一端側から、帯板材３の帯板部３０を板面方向が平坦形態での平坦方向に直交するように挿入し、その両側の掛止部３１を筒外へ出す形で切込み溝３２（図１参照）をＰＴＰ包装体Ｐ４の切込み溝１３に嵌め合わせる。これにより、筒状形態とした該ＰＴＰ包装体Ｐ４は、挿入された帯板材３の帯板部３０の両側が該帯板部３０を底辺として稜線部１１を頂とする略三角形の断面形状になることから、確固として安定した筒状形態に保たれる。従って、薬剤の取り出しのためにポケット部１０を外側から指で押し潰す際、ＰＴＰ包装体Ｐ４の筒形が変形せず、蓋フィルム２を容易に破封して簡単に薬剤を取り出すことができる。
【００３１】
なお、薬剤ＰＴＰ包装体Ｐ１〜Ｐ４の平坦形態とする癖付けは、熱可塑性樹脂からなるシート基材１の稜線部１１，１２（第四実施形態のＰＴＰ包装体Ｐ４では稜線部１１のみ）近傍を加熱プレスすることで行われるが、予め筒状形態としたものを二次加工の加熱プレスで平坦形態にしてもよいし、前記シート形態の薬剤ＰＴＰ包装体Ｐ０からの曲げ加工と加熱プレスで平坦形態にしてもよい。その後者の加熱プレスの際には、シート形態の薬剤ＰＴＰ包装体Ｐ０の止着すべき両側縁部１ａ，１ｂを同時に熱融着させることも可能である。
【００３２】
上記第一〜第四実施形態で例示したように、本発明の薬剤ＰＴＰ包装体では、全体がシート基材１のポケット部１０を外面側として蓋フィルム２を内面側とした筒状構造であっても、その未使用形態では筒形がひしげた平坦形態に癖付けられているために嵩張らず、その多数本を重ねる形でスペースを要さずに輸送や保管を行える。また、薬剤製品としてパッケージする際、例えば図６に示すように、紙箱等のケースＣに平坦形態の薬剤ＰＴＰ包装体Ｐ１〜Ｐ４の多数枚を重ね合わせた形で収容可能であるから、筒状形態で収容する場合に比較して薬剤収容量を格段に増加できるという利点がある。なお、図６のパッケージ形態においては、薬剤ＰＴＰ包装体Ｐ１〜Ｐ４同士をポケット部１０の位置が相互にずれるように対向配置することにより、余剰空間を極力少なくする形で収容している。
【００３３】
一方、各ポケット部１０内の薬剤Ｍを取り出して服用する際は、既述のように、平坦形態から内側を拡開して筒状形態とし、この筒状形態を筒形保持手段によって安定に保てるから、ポケット部１０を指で押し潰す操作により、極めて容易に蓋フィルム２を破封して筒内に薬剤Ｍを放出できる。従って、筒形の薬剤ＰＴＰ包装体としての本来の誤飲防止機能及び散逸防止機能は全く損なわれない。
【００３４】
なお、実施形態では筒状構造として正四角筒状及び略円筒状のものを例示したが、断面長方形で平行四辺形状にひしげて平坦形態にできるものや、更に平坦形態に癖付けできる側面幅の組合せであれば五角筒以上の多角筒状のものも採用可能である。また、筒形保持手段としても、例示した帯板材３、折り付け片４、蓋状フラップ５以外の種々の構成を採用できる。
【符号の説明】
【００３５】
１          シート基材
１０        ポケット部
２          蓋フィルム
３          帯板材（筒形保持手段）
３１        掛止部
４          折り付け片（筒形保持手段）
５          蓋状フラップ（筒形保持手段）
５２        差込み片
Ｍ          固形薬剤
Ｐ１〜Ｐ４  薬剤ＰＴＰ包装体
【図１】
2014094757.tif 000003
【図２】
2014094757.tif 000004
【図３】
2014094757.tif 000005
【図４】
2014094757.tif 000006
【図５】
2014094757.tif 000007
【図６】
2014094757.tif 000008
【図７】
2014094757.tif 000009
【図８】
2014094757.tif 000010
【図９】
2014094757.tif 000011
【図１０】
2014094757.tif 000012